(57)【要約】【課題】  定期的なメンテナンス作業の効率を高めることが可能な貯湯タンクユニットを提供する。【解決手段】  貯湯タンクユニット１の前面側にある前面パネル７下部に位置する上部前面化粧カバー８を蝶番構造１２とそれを固定するビス１１で掛止することで、上部前面化粧カバー８が回動可能に連結されて、ビス１１を工具等で外し上部前面化粧カバー８を外すことなく内部配管等のメンテナンス作業が可能となり、また、上部前面化粧カバー８の下部に磁性体１３を複数備えることで、カバー閉止時は磁性体１３が吸着部１７に吸着することで固定され、カバー開放時には前面パネル７に吸着することで開放状態での保持が可能となる。【選択図】図７
2010196979.tif 000002
【特許請求の範囲】
【請求項１】
貯湯タンクと、前面パネルと前面パネル下部の前面化粧カバーと背面板と左右の側面板と天板と底板で構成され、該貯湯タンクを収納する筐体と、前記前面化粧カバーにより前面が覆われ、該筐体下部に配置され外部配管と器具内配管を接続する配管接続部とを備えた貯湯タンクユニットに於いて、前記前面化粧カバーの上部は前記前面パネルに対して回動自在に設けられ、前記前面化粧カバー下部背面には、前記前面化粧カバーを開放した時、前記前面パネルに前記前面化粧カバーを吸着させて前記前面化粧カバーの開放状態を保持する磁性体を設けると共に、前記配管接続部には前記前面化粧カバー閉止時に前記磁性体と吸着する吸着部を備えたことを特徴とする貯湯タンクユニット。
【請求項２】
前記磁性体は前記前面化粧カバーの下部背面に複数設けると共に、前記吸着部は側面板下部に板状に複数立設させたことを特徴とする請求項１記載の貯湯タンクユニット。
【発明の詳細な説明】
【技術分野】
【０００１】
この発明は、湯水を貯湯する貯湯タンクを備えた貯湯タンクユニットに関するものである。
【背景技術】
【０００２】
従来より、この種の貯湯タンクユニットとしては、図８に示すようなものがあった。
図８の（a）における１０１は貯湯タンクユニット本体、１０２はその内部に設けられ温水を貯湯する貯湯タンク、１０３は貯湯タンク１０２の上部に接続された出湯管、１０４は貯湯タンク１０２の下部に接続された給水管である。
【０００３】
そして、貯湯タンクユニット本体１０１の底板１０５の前面側にて出湯管１０３及び給湯管１０４が外部配管と接続される配管接続部１０６が設けられている。
【０００４】
また、１０７は貯湯タンク１０２内に貯まっている湯水を排水する排水栓を内部に備えた排水栓操作カバーである。
【０００５】
また、図８の（b）における１０８は貯湯タンク１０２の前面側にあり配管やタンクを内部に収める前面パネル、１０９は配管接続部１０６や排水栓操作カバー１０７の前面側にありビスで固定され取り外し可能な前面化粧カバーである。
【先行技術文献】
【特許文献】
【０００６】
【特許文献１】意匠登録１３００２４５号公報
【発明の概要】
【発明が解決しようとする課題】
【０００７】
しかし、この従来のものでは、長期間に渡って湯を使用しない時や定期的なメンテナンスを行う際、貯湯タンク１０２内の湯水を排水するために排水栓操作カバー１０７を開いて排水栓を開栓し、排水終了後、配管接続部１０６に備えられている水抜き栓を開ける必要があり、排水作業の前後において前面パネル１０８に固定手段であるビスで掛止されている前面化粧カバー１０９の取り付け、取り外し作業を工具等を用いて行う必要があるので、極めて効率が悪いという課題があった。
【０００８】
また、取り外した前面化粧カバー１０９の置き場所を確保する必要があるため、狭小地においては作業が煩わしく、置いていたカバーが風等によって転倒する危険もあった。
【課題を解決するための手段】
【０００９】
上記の課題を解決するために、本発明の請求項１では、貯湯タンクと、前面パネルと前面パネル下部の前面化粧カバーと背面板と左右の側面板と天板と底板で構成され、該貯湯タンクを収納する筐体と、前記前面化粧カバーにより前面が覆われ、該筐体下部に配置され外部配管と器具内配管を接続する配管接続部とを備えた貯湯タンクユニットに於いて、前記前面化粧カバーの上部は前記前面パネルに対して回動自在に設けられ、前記前面化粧カバー下部背面には、前記前面化粧カバーを開放した時、前記前面パネルに前記前面化粧カバーを吸着させて前記前面化粧カバーの開放状態を保持する磁性体を設けると共に、前記配管接続部には前記前面化粧カバー閉止時に前記磁性体と吸着する吸着部を備えたこととしたものである。
【００１０】
また、請求項２では、前記磁性体は前記前面化粧カバーの下部背面に複数設けると共に、前記吸着部は側面板下部に板状に複数立設させたこととしたものである。
【発明の効果】
【００１１】
この発明によれば、ビスにより前面パネルに掛止されていた前面化粧カバーの取付、取り外し作業が工具を用いずとも可能となり、定期的なメンテナンスで必要な前面化粧カバー内部の配管接続部に備えられている排水栓操作カバー内部にある排水栓による貯湯タンク内の排水や、水抜き栓を開栓することによる水抜き作業が容易になる。
【００１２】
また、前面化粧カバー下部背面に磁性体を備えることによって、前面化粧カバーを開いて前面パネル近傍まで近づける事で、磁性体の磁力によって前面化粧カバーが前面パネルに吸着して固定され、更に前面化粧カバーを閉じた際には、配管接続部の磁性体に当接する位置に備えられている吸着部に吸着することで、磁性体によるカバーの固定という簡易な方法でメンテナンス作業における作業効率が高まるものである。
【図面の簡単な説明】
【００１３】
【図１】本発明の一実施形態の貯湯タンクユニットの正面図
【図２】同一実施形態の貯湯タンクユニットの左側面図
【図３】同一実施形態の貯湯タンクユニットの右側面図
【図４】同一実施形態の貯湯タンクユニットの背面図
【図５】同一実施形態の貯湯タンクユニットの化粧カバーを閉じた状態での斜視図
【図６】同一実施形態の貯湯タンクユニットの要部拡大断面図
【図７】同一実施形態の貯湯タンクユニットの化粧カバーを開いた状態での斜視図
【図８】（a）は従来の貯湯タンクユニットの断面図、（b）は同ユニットの正面図
【発明を実施するための形態】
【００１４】
以下、本発明の一実施の形態を図面に基づいて詳細に説明する。
図１は、本実施形態の貯湯タンクユニット１の正面図である。この貯湯タンクユニット１は、加熱手段によって加熱された湯水を貯湯する貯湯タンク２と、貯湯タンク２を囲むように配置された直方形状の筐体３とを備えている。筐体３は、周囲を取り囲む周囲壁板４と、この周囲壁板４の上端部に設けられた天板５と、貯湯タンク２が設置される底板６とを有する。７は貯湯タンクユニット１の正面に設置されており、周囲壁板４の内部にある機器のメンテナンスを可能とするため取り外し可能な前面パネルである。８は貯湯タンク２に接続している配管等を収納する上部前面化粧カバー、９は貯湯タンクユニット１の前面脚部を覆い外観の美感を高める下部前面化粧カバーであり、上部前面化粧カバー８と下部前面化粧カバー９で前面化粧カバー１０が構成されている。１１は上部前面化粧カバー８が回動自在に動けるようにする蝶番構造１２を固定する手段としてのビスである。
【００１５】
図２、図３は貯湯タンクユニット１を左右からそれぞれ見た側面図である。１３は上部前面化粧カバー８の左右両端にあり、カバー内部に埋め込まれているか、もしくはカバー裏面とカバー内部の両方に備えられている磁性体である。１４は貯湯タンクユニット１の側面を覆い前面パネル７方向下部の角に凹部を設けた側面パネルである。また、側面パネル１４下部には貯湯タンクユニット１の脚部分を覆う側面化粧カバー１５があり、前記側面パネル１４の凹部には上部正面化粧カバー８の側面部を覆う配管カバー１６を取付ける。また、上部正面化粧カバー８に備えられている磁性体１３に当接することで吸着可能な吸着部１７を設ける。
【００１６】
図４は貯湯タンクユニット１の背面図である。１８は貯湯タンクユニット１の背面を覆う背面パネルであり、背面パネル１８下部には貯湯タンクユニット脚部を覆うための背面化粧カバー１９が備えられている。
【００１７】
次に、定期的なメンテナンスや排水作業を行う際における各部の動きを説明する。
図５は貯湯タンクユニット１の通常使用時における外観を表した斜視図である。このとき、上部前面化粧カバー８は磁性体１３と当接して吸着可能な吸着部１７によって閉止されている。
【００１８】
また、図６は上部前面化粧カバー８が開く様子を表す拡大断面図である。吸着部１７に吸着している磁性体１３によって閉止状態で固定されている上部前面化粧カバー８の下辺部を手前に引いて持ち上げるように力を加えることで、蝶番構造１２が回動して半円状の軌道を描く様に動くことが可能となる。
【００１９】
さらに、図７は上部前面化粧カバー８を開いて内部に収納されている配管等のメンテナンスを行う際の状態を表す貯湯タンクユニット１の斜視図である。上部前面化粧カバー８が磁性体１３によって前面パネル７に吸着することで開放状態が保持できるため、配管接続部２０にある排水栓操作カバー２１内の排水栓を開けて貯湯タンク２内の湯水を排水させる作業や、排水作業終了後に水抜き栓２２を操作して行う水抜き作業の際、上部前面化粧カバー８を掛止しているビス１１をドライバー等の工具を用いて外す必要がなくなり、メンテナンス作業中に誤ってビス１１を紛失するおそれがなく、カバーの取付、取り外しに要していた手間が省け、さらには磁性体１３によるカバーの固定を実現させ、カバー自体の置き場にも困らず、風等の自然現象によるカバー転倒の危険も防げるのでその効果は絶大である。
【００２０】
また、本発明はこの実施形態に限らず、適宜変更することが可能である。例えば本実施形態では、上部前面化粧カバー８の下に下部前面化粧カバー９を設けているが、取付費用削減のためにこれを省略しても構わない。同様の理由で、側面化粧カバー１５、背面化粧カバー１９を省略しても本発明は実施可能である。
【００２１】
また、前面パネル７及び上部前面化粧カバー８の間の固定に関してビス１１を使用しているが、溶接等の他の固定手段を用いても可能である。
【００２２】
また、上部正面化粧カバー８を固定する手段としての磁性体１３と、磁性体１３が吸着する箇所である吸着部１７の位置は適宜変更可能であり、例えば、磁性体１３を上部正面化粧カバーの下辺中心位置に設け、吸着部１７をその背面に当接するように備える等でも可能である。
【００２３】
そして、本実施形態では上部前面化粧カバー８を手前に引いて持ち上げて開けるとしているが、例えば、蝶番構造１２を上部化粧カバー８左側に装着して同カバーを右側から手前に引くことで、側面部からの開閉も可能である。
【符号の説明】
【００２４】
１    貯湯タンクユニット
２    貯湯タンク
３    筐体
７    前面パネル
１０  前面化粧カバー
１３  磁性体
１７  吸着部
２０  配管接続部
【図１】
2010196979.tif 000003
【図２】
2010196979.tif 000004
【図３】
2010196979.tif 000005
【図４】
2010196979.tif 000006
【図５】
2010196979.tif 000007
【図６】
2010196979.tif 000008
【図７】
2010196979.tif 000009
【図８】
2010196979.tif 000010